(57)【要約】【課題】データ蓄積機能を備えた電子機器において、蓄積データを、ケーブルや記録媒体を用いることなく外部装置に簡単に転送できるようにする。【解決手段】モニタ用光源または照明用光源のいずれか一方または両方の光源とを備えたデータ蓄積機１（電子機器）において、データ蓄積部１０３に蓄積のデータを変調部１０５にて変調し、その変調データに基づいてインジケータ用光源（モニタ用光源）１１１及び／または照明用光源１１２を点灯制御して可視光信号を送信する。このような構成により、ケーブル接続等の煩わしい作業や、ＵＳＢメモリ等の記録媒体へのデータの読み込み・読み出し作業などを行うことなく、データを外部装置に簡単に転送することができる。しかも、可視光通信用の専用の光源を別途設ける必要がないので、部品点数の増加・コストアップを抑えながらも、可視光通信を実現できる。【選択図】図１
2012195763.tif 000002
【特許請求の範囲】
【請求項１】
データを蓄積するデータ蓄積部と、モニタ用光源または照明用光源のいずれか一方または両方の光源とを備えた電子機器であって、
前記データ蓄積部に蓄積されたデータを変調する変調部と、前記変調部にて変調された変調データに基づいて、前記モニタ用光源または照明用光源のいずれか一方または両方の光源を点灯制御して可視光信号を送信する送信制御部を備えていることを特徴とする電子機器。
【請求項２】
請求項１に記載の電子機器と、データ収集装置とを備え、前記電子機器に蓄積されたデータを可視光通信にて前記データ収集装置に転送して収集することを特徴とするデータ収集システム。
【請求項３】
請求項２に記載のデータ収集システムにおいて、
前記データ収集装置は、前記電子機器からの可視光信号を受光する受光部と、その受光した可視光信号を復調する復調部と、前記復調部で復調された後のデータをデータ蓄積部に蓄積する情報処理部とを備えていることを特徴とするデータ収集システム。
【発明の詳細な説明】
【技術分野】
【０００１】
本発明は、例えば、測定器、受信機、携帯電話機、ＰＤＡ（Ｐｅｒｓｏｎａｌ  Ｄｉｇｉｔａｌ  Ａｓｓｉｓｔａｎｔｓ：携帯情報機器）、デジタルカメラなどのデータ蓄積機能を有する電子機器、及び、そのような電子機器に蓄積されたデータを収集するデータ収集システムに関する。
【背景技術】
【０００２】
ＰＤＡやデジタルカメラなどの電子機器において所得・蓄積されたデータ（例えば、テキストデータ、画像データ、音声データ等）は、パーソナルコンピュータ（以下、パソコンともいう）や録画機などの外部装置に転送されて画像表示や音声出力等が行われる。
【０００３】
電子機器に蓄積されたデータを外部装置に転送する方式としては、ＵＳＢ（Ｕｎｉｖｅｒｓａｌ  Ｓｅｒｉａｌ  Ｂｕｓ）規格、ＲＳ２３２Ｃ規格、ＩＥＥＥ１３９４規格などの有線インタフェースに準拠したケーブル接続によりデータ転送する有線方式、ＵＳＢメモリ（メモリスティック（登録商標））、ＳＤカード（登録商標）、ＣＦ（Ｃｏｍｐａｃｔ  Ｆｌａｓｈ）カード（登録商標）などの記録媒体を用いてデータを転送する方式、イーサネット(登録商標)などのＬＡＮにてデータを転送する方式などある（例えば、特許文献１〜４参照）。
【先行技術文献】
【特許文献】
【０００４】
【特許文献１】特開２０１０−２００３３６号公報
【特許文献２】特開２００６−２６００５７号公報
【特許文献３】特開２００５−１９７９０９号公報
【特許文献４】特開２００１−１４８８２６号公報
【発明の概要】
【発明が解決しようとする課題】
【０００５】
ところで、データ蓄積等の電子機器に蓄積されたデータを有線で転送する方式の場合、ＵＳＢケーブル等を用意する必要があり、また、電子機器と外部装置（パソコン等）とのＵＳＢケーブル等の接続作業が煩わしいという問題がある。
【０００６】
また、記録媒体を用いてデータ転送を行う方式では、ＵＳＢメモリやＳＤカード等の記録媒体を用いる必要がある。さらに、記録媒体を用いてデータ転送を行う場合、例えば、電子機器に記録媒体を接続した状態で、電子機器内に蓄積のデータを記録媒体に一時記録し、その記録媒体を電子機器から取り外して外部装置に接続した状態で、記録媒体に記録したデータを外部装置内のハードディスク等に記録する、というような煩雑な作業を行う必要がある。
【０００７】
なお、無線ＬＡＮなどではケーブルや記録媒体を用いる必要はないものの、ＬＡＮシステムを構築する必要がある。
【０００８】
本発明はそのような実情を考慮してなされたもので、データ蓄積機能を有する電子機器において、蓄積データを、ケーブルや記録媒体を用いることなく外部装置に簡単に転送できるようにすることを目的とする。
【課題を解決するための手段】
【０００９】
本発明は、データを蓄積するデータ蓄積部と、モニタ用光源または照明用光源のいずれか一方または両方の光源とを備えた電子機器を前提としており、このような電子機器において、前記データ蓄積部に蓄積されたデータを変調する変調部と、前記変調部にて変調された変調データに基づいて、前記モニタ用光源または照明用光源のいずれか一方または両方の光源を点灯制御して可視光信号を送信する送信制御部を備えていることを特徴としている。
【００１０】
本発明において、上記モニタ用光源及び照明用光源は、電子機器が備えている光源であれば、その種類・用途などは特に限定されない。例えば、モニタ用光源には、インジケータ用光源、及び、動作状況等を示す各種の表示モニタランプなどが含まれる。また、照明用光源には、液晶ディスプレイのバックライト、操作ボタンの照明用ランプ、電子機器自体の照明用ランプなどが含まれるものとする。
【００１１】
本発明によれば、電子機器に蓄積されたデータを可視光通信にて外部装置に転送することができるので、ケーブル接続等の煩わしい作業や、ＵＳＢメモリやＳＤカード等の記録媒体へのデータの読み込み・読み出し作業などを行うことなく、データを外部装置（パソコン等）に簡単に転送することができる。
【００１２】
しかも、データ蓄積機等の電子機器に一般に取り付けられているモニタ用光源や照明用光源を利用して、データを可視光通信にて送信するように構成しているので、可視光通信用の専用の光源を別途設ける必要がなくなる。このように、電子機器が備えている光源を可視光通信に利用（併用）することにより、部品点数の増加やコストアップを抑えながらも、可視光通信によるデータ転送を実現することができる。
【００１３】
また、本発明では、可視光通信によりデータを転送するので、モニタ用光源や照明用光源からの光（可視光）が届く範囲に受信側装置の受信部があれば、データ転送を行うことが可能である。つまり、モニタ用光源や照明用光源からの光が届く範囲に受信側装置の受信部が入るように電子機器の光源を向ければよいので、赤外線通信（ＩｒＤＡ：Ｉｎｆｒａｒｅｄ  Ｄａｔａ  Ａｓｓｏｃｉａｔｉｏｎ）のように、データ送信側機器とデータ受信側装置との意識的な光軸合わせを行う必要がなくなって、データ転送の操作性がよくなる。
【００１４】
本発明のデータ収集システムは、上記した特徴を有する電子機器と、その電子機器に蓄積されたデータを収集するデータ収集装置とを備えている。そして、そのデータ収集装置は、上記電子機器からの可視光信号を受光する受光部と、その受光した可視光信号を復調する復調部と、この復調部で復調された後のデータをデータ蓄積部に蓄積する情報処理部とを備えていることを技術的特徴としている。
【００１５】
このデータ収集システムにおいても、電子機器からデータ収集装置へのデータ転送を可視光通信にて行うことができるので、電子機器に蓄積されたデータを、簡単な操作でデータ収集装置に転送・蓄積することができる。
【発明の効果】
【００１６】
本発明によれば、電子機器に蓄積されたデータを、電子機器が備えているモニタ用光源及び／または照明用光源を利用して、可視光通信によってデータを送信するように構成しているので、外部装置にデータを簡単に送信することができる。しかも、可視光通信用の専用の光源を別途設けることなく、可視光通信を実現することができる。
【図面の簡単な説明】
【００１７】
【図１】本発明を適用するデータ蓄積機の一例を示すブロック図である。
【図２】図１のデータ蓄積機の外観形状を示す斜視図である。
【図３】図１のデータ蓄積機からのデータを収集するデータ収集装置の一例を示すブロック図である。
【図４】動線情報取得システムの一例を示す概略構成図である。
【図５】図４の動線情報取得システムを構成する送信機の一例を示すブロック図である。
【図６】送信機の各照明機器の照射領域を示す図である。
【図７】図４の動線情報取得システムを構成する機器であって、本発明を適用する受信機の一例を示すブロック図である。
【図８】図７の受信機のデータ取得部の構成を示すブロック図である。
【図９】図４の動線情報所得システムを構成するデータ収集装置の一例を示すブロック図である。
【発明を実施するための形態】
【００１８】
以下、本発明の実施形態を図面に基づいて説明する。
【００１９】
［実施形態１］
−データ蓄積機−
図１は、本発明を適用するデータ蓄積機（電子機器）の一例を示すブロック図である。図２はそのデータ蓄積機の外観形状を示す斜視図である。
【００２０】
この例のデータ蓄積機１は、データ取得部１０１、操作部１０２、データ蓄積部１０３、直流点灯信号生成部１０４、変調部１０５、セレクタ１０６、駆動回路１０７、インジケータ１０８の光源であるインジケータ用光源（モニタ用光源）１１１、液晶ディスプレイ１０９のバックライトとしての照明用光源１１２、制御部１１０、及び、電源部１２０などを備えている。インジケータ用光源１１１及び照明用光源１１２はともにＬＥＤ（発光ダイオード）である。
【００２１】
データ取得部１０１は、例えば、有線通信、無線通信、光通信などによってデータ（例えば、テキストデータ、画像データ、音声データ、測定データなど）を取得する。なお、データ取得部１０１については、ＣＣＤや、マイクロフォン、各種計測機器などによってデータを取得する機能部であってもよい。
【００２２】
操作部１０２は、当該データ蓄積機１の作動をＯＮ／ＯＦＦ（電源：ＯＮ／ＯＦＦ）するスイッチ機能を備えている。また、操作部１０２の操作によって、「通常点灯モード」と「データ送信モード」とを切り替える点灯切替信号を制御部１１０に入力することができる。この「点灯切替信号」に応じて、インジケータ用光源１１１及び照明用光源１１２の点灯方式を、後述する「直流点灯」または「変調点灯」のいずれか一方の点灯方式に切り替えることができる。
【００２３】
制御部１１０は、データ取得部１０１が取得した取得データをデータ蓄積部１０３に蓄積する。また、そのデータ蓄積部１０３に蓄積のデータを読み出して変調部１０５に出力する。さらに、制御部１１０は、操作部１０２からの点灯切替信号に応じてセレクタ１０６に後述するセレクト信号を供給する。
【００２４】
制御部１１０には、直流点灯信号生成部１０４と変調部１０５とが接続されている。直流点灯信号生成部１０４は、インジケータ用光源１１１及び照明用光源１１２を直流点灯駆動する信号、つまり、これら光源１１１，１１２の本来の点灯（インジケータ点灯（モニタ用点灯）、照明点灯）を制御する信号を生成する。
【００２５】
変調部１０５は、制御部１１０がデータ蓄積部１０３から読み出したデータを、ＯＯＫ（Ｏｎ−Ｏｆｆ  Ｋｅｙｉｎｇ）変調方式のデータ（以下、ＯＯＫ変調データともいう）に変換する。ＯＯＫ変調方式は、一般に用いられる変調方式であって、ＡＳＫ方式（Ａｍｐｌｉｔｕｄｅ  Ｓｈｉｆｔ  Ｋｅｙｉｎｇ）とも呼ばれており、通信データのビットが［１］のときにパルス（光搬送波の振幅値＝１）を生成し、通信データのビットが［０］のときパルスを生成しない（光搬送波の振幅値＝０）というパルス生成規則に基づいて、通信データを変調して送受信する方式である。
【００２６】
セレクタ１０６は、制御部１１０からのセレクト信号に応じて、直流点灯信号生成部１０４または変調部１０５のいずれか一方を、光源駆動用の駆動回路１０７に選択的に接続する。具体的に、制御部１１０は、データ取得時などの「通常点灯モード」時には、直流点灯信号生成部１０４を駆動回路１０７に接続するセレクト信号をセレクタ１０６に供給する。これによって、直流点灯信号生成部１０４にて生成された直流点灯信号（インジケータ用の点灯信号及び照明用の点灯信号）が駆動回路１０７に供給される。駆動回路１０７は、直流点灯信号生成部１０４からの点灯信号に基づいてインジケータ用光源１１１及び照明用光源１１２を直流点灯する。
【００２７】
一方、操作部１０２が操作されて「通常点灯モード」から「データ送信モード」に切り替えられた場合には、制御部１１０は、データ蓄積部１０３に蓄積の取得データを読み出して変調部１０５に供給するとともに、変調部１０５を駆動回路１０７に接続するセレクト信号をセレクタ１０６に出力する。これによってデータ蓄積部１０３から読み出され、変調部１０５において変調されたデータ（ＯＯＫ変調データ）が駆動回路１０７に供給される。駆動回路１０７は、変調部１０５からのＯＯＫ変調データに基づいて、インジケータ用光源１１１及び照明用光源１１２を変調点灯（高速点滅）することによってパルス化した可視光信号を出力（データ送信）する。
【００２８】
液晶ディスプレイ１０９は、制御部１１０にて制御され、現在の時刻（西暦、月日、曜日、時、分、秒）や、現在の動作状態を示す情報（例えば、「データ取得中」、「データ転送中」、「データ転送終了」、「メモリ残量」、「バッテリ残量」などを示す情報）などが表示される。
【００２９】
電源部１２０は、電池（または商用電源）等に接続される。電源部１２０は電池（または商用電源）等からの電力をデータ蓄積機１の各機能部、並びに、インジケータ用光源１１１及び照明用光源１１２に供給する。
【００３０】
なお、以上のデータ蓄積機１の制御部１１０、変調部１０５、及び、駆動回路１０７などの構成が、本発明の「電子機器の送信制御部」に相当する。
【００３１】
−データ収集装置−
次に、上記したデータ蓄積機１に蓄積された取得データを可視光通信にて収集するデータ収集装置２について図３を参照して説明する。
【００３２】
この例のデータ収集装置２は、例えばパーソナルコンピュータであって、受光部２０１、受信処理部２０２、波形成形部２０３、復調部２０４、データ蓄積部２０５、情報処理部（パソコン本体）２１０、及び、電源部２２０などを備えている。
【００３３】
受光部２０１は、受光素子（例えばフォトダイオード）２０１ａを有し、受光した可視光信号（上記したデータ蓄積機１からのＯＯＫ変調データ）を電気信号に変換して受信処理部２０２に出力する。なお、受光部２０１の受光素子２０１ａはデータ収集装置２の外部に臨んでおり、上記したデータ蓄積機１からの可視光信号を受光できるようになっている。
【００３４】
受信処理部２０２は、受光部２０１で受信した可視光信号（受信データ）にフィルタ処理を施して外乱雑音を除去する処理、及び、受信データのゲインを調整する（増幅する）処理などを行う。波形成形部２０３は、受光部２０１で受信され受信処理部２０２で処理された受信データの波形歪みの補正などを行って、受信データを復調しやすいデータに加工して復調部２０４に出力する。
【００３５】
復調部２０４は、波形成形後の受信データ（ＯＯＫ変調データ）を復調する。例えば、ＯＯＫ変調データのパルス（光搬送波の振幅値）を所定の閾値と比較し、パルスが閾値を超えている場合は［１］とし、パルスが閾値以下である場合は［０］として受信データを復調する。
【００３６】
情報処理部２１０は、復調部２０４で復調されたデータを、データ蓄積部２０５に蓄積する。また、情報処理部２１０は、データ蓄積部２０５に蓄積したデータ（例えば、テキストデータや画像データ等）を処理して液晶ディスプレイ等の表示部２０６の画面上に表示する。
【００３７】
電源部２２０は、商用電源（または電池）等に接続される。電源部２２０は商用電源（または電池）等からの電力をデータ収集装置２の各機能部に供給する。
【００３８】
以上のデータ収集装置２及び上記データ蓄積機１（電子機器）によって本発明のデータ収集システムが構成される。
【００３９】
−データ転送操作−
次に、データ蓄積機１に蓄積されているデータの転送について、図１〜図３を参照して説明する。
【００４０】
まず、データ取得が完了しているデータ蓄積機１（電源ＯＮ状態）を、そのインジケータ用光源１１１（または液晶ディスプレイ１０９（照明用光源１１２））が、データ収集装置２の受光部２０１（受光素子２０１ａ）に向くような姿勢で配置する。この状態で、データ蓄積機１の操作部１０２を操作して、「通常点灯モード」から「データ送信モード」に切り替える。この切替操作により、データ蓄積機１のデータ蓄積部１０３に蓄積のデータが、可視光通信によってデータ収集装置２に転送され、そのデータ収集装置２のデータ蓄積部２０５に蓄積される。そして、このようなデータ転送が終了した後に、操作部１０２を操作して通常点灯モードに戻すか、もしくはデータ収集装置２の動作ＯＦＦ（電源ＯＦＦ）にすることによってデータ転送操作を完了する。
【００４１】
なお、「データ転送終了」の旨は、液晶ディスプレイ１０９に文字等によって表示するようにしてもよいし、また、インジケータ用光源１１１を点滅（目視で見て認識できる間隔の点滅）を行うことで「データ送信終了」を操作者に知らせるようにしてもよい。
【００４２】
以上説明したように、この例のデータ蓄積機１によれば、ケーブル接続などの煩わしい作業や、ＵＳＢメモリやＳＤカード等の記録媒体へのデータの読み込み・読み出し作業などを行うことなく、データ蓄積機１に蓄積したデータをデータ収集装置２に簡単に転送することができる。
【００４３】
しかも、データ蓄積機１に一般に取り付けられているインジケータ用光源１１１や照明用光源１１２を利用して、データを可視光通信にて送信するように構成しているので、可視光通信用の専用の光源を別途設ける必要がなくなる。このようにデータ蓄積機１が一般に備えている光源を可視光通信に利用（併用）することにより、部品点数の増加やコストアップを抑えながらも、可視光通信によるデータ送信（転送）を実現することができる。
【００４４】
また、本発明では、可視光通信によりデータを転送するので、インジケータ用光源１１１や照明用光源１１２からの光（可視光）が届く範囲にデータ収集装置２の受光部２０１があれば、可視光通信にてデータ転送を行うことが可能である。つまり、インジケータ用光源１１１や照明用光源１１２からの光が届く範囲内にデータ収集装置２の受光部２０１（受光素子２０１ａ）が入るように、データ蓄積機１の向きを調節すればよいので、赤外線通信のように、データ送信側機器とデータ受信側装置との意識的な光軸合わせを行う必要がなくなって、データ転送時の操作性がよくなる。
【００４５】
［実施形態２］
次に、店舗フロア内のユーザの移動経路を示す動線を取得する動線情報取得システム（データ収集システム）ついて図４〜図８を参照して説明する。
【００４６】
まず、図４に示すように、この例の動線情報取得システムＳは、送信機３００、受信機１００及びデータ収集装置２００などを備えており、その受信機（電子機器）１００に本発明を適用している。以下、送信機３００、受信機１００、及び、データ収集装置２００の各機器について説明する。
【００４７】
−送信機−
この例の送信機３００は、図５に示すように、複数の照明機器３０１・・３０１、制御部３０２、変調データ生成部３０３、波形成形部３０４、通信許可セレクタ３０５、時計３０６、ＩＤ設定部３０７、及び、電源部３２０などを備えている。
【００４８】
照明機器３０１・・３０１は店舗フロアに既に設置されているもの（既設の照明機器）を利用してもよいし、店舗フロアに新たに照明機器３０１・・３０１を設置して可視光通信にて動線情報を取得するようにしてもよい。
【００４９】
この例では、店舗フロア内に１２台の照明機器３０１・・３０１が設置されている。それら照明機器３０１・・３０１は、その各照明領域（エリア）が、図６に示す［領域Ａ０１］、［領域Ａ０２］、・・、［領域Ａ１１］、［領域Ａ１２］となるように配置されている。
【００５０】
図５に示すように、各照明機器３０１は、それぞれ、可視光を放射する光源３１１及び駆動回路３１２を備えている。光源３１１は、例えばＬＥＤ（発光ダイオード）である。この光源３０１は駆動回路３１２によって点灯駆動される。なお、照明機器３０１の光源３１１は、蛍光灯等の放電灯、有機ＥＬ、無機ＥＬなど、可視光を放射できるものであれば、他の光源であってもよい。
【００５１】
駆動回路３１２は、変調データ生成部３０３で生成され、波形成形部３０４にて波形されたデータ（後述する４ＰＰＭデータ）に基づいて、光源３１１を高速点滅することによってパルス化した可視光信号を出力（データ送信）する。ただし、この例では、全ての照明機器３０１の光源３１１について、可視光信号の送信（データ送信）を同時に行うのではなく、後述するように、可視光信号の送信を行う光源３１１を選択して、所定の順番で可視光信号の送信を行うようにしている。
【００５２】
なお、以下の説明において、照明領域が［Ａ０１］の照明機器３０１を「Ａ０１照明機器３０１」、照明領域が［Ａ０２］の照明機器３０１を「Ａ０２照明機器３０１」、以下、同様に、「Ａ０３照明機器３０１」、「Ａ０４照明機器３０１」、・・、「Ａ１１照明機器３０１」、「Ａ１２照明機器３０１」という場合もある。
【００５３】
次に、送信機３００の各部について説明する。
【００５４】
時計３０６は、「西暦、月日、曜日、時、分、秒」を計時する。この時計３０６で計時される時刻情報は刻々と制御部３０２に入力される。
【００５５】
ＩＤ設定部３０７は、各照明機器３０１（光源３１１）に割り当てるエリアＩＤ情報（位置認識情報）を設定する。この例では、Ａ０１照明機器３０１のエリアＩＤ情報を［０１］、Ａ０２照明機器３０１のエリアＩＤ情報を［０２］、Ａ０３照明機器３０１のエリアＩＤ情報を［０３］、・・、Ａ１１照明機器３０１のエリアＩＤ情報を［１１］、Ａ１２照明機器３０１のエリアＩＤ情報を［１２］と設定する。このＩＤ設定部３０７で設定されたエリアＩＤ情報は制御部３０２に入力される。
【００５６】
なお、ＩＤ設定部３０７においてエリアＩＤ情報は任意に変更することが可能であり、例えば、店舗に配置の照明機器３０１・・３０１の台数、設置位置（レイアウト）などを変更した場合に、その変更後の照明機器３０１・・３０１のエリアＩＤ情報を、管理者（オペレータ）等が入力部（図示せず）から入力することによって、その変更後のエリアＩＤ情報を簡単に設定することができる。
【００５７】
制御部３０２は、時計３０６において刻々と計時される時刻情報（西暦、月日、曜日、時、分、秒）と、ＩＤ設定部３０７で設定されたエリアＩＤ情報とを組み合わせて光通信情報を作成し、その作成した光通信情報（エリアＩＤ情報、現在の時刻情報）を変調データ生成部３０３に出力する。なお、光通信情報には、エリアＩＤ情報及び現在の時刻情報以外の情報を含ませておいてもよい。
【００５８】
また、制御部３０２は、送信タイミング制御データに基づいて、複数の照明機器３０１の光源３１１うち、可視光信号を出力する光源３１１を選択するためのセレクト信号を通信許可セレクタ３０５に出力する。それら送信タイミング制御データ及びセレクト信号などについては後述する。
【００５９】
変調データ生成部３０３は、制御部３０２で作成された光通信情報（エリアＩＤ情報、現在の時刻情報）を、４ＰＰＭ方式のデータ（以下、４ＰＰＭデータともいう）に変換する。４ＰＰＭ方式（Ｐｕｌｓｅ  Ｐｏｓｉｔｉｏｎ  Ｍｏｄｕｌａｔｉｏｎ：パルス位置変調）方式は、副搬送波を変調する公知の変調方式であるので、その詳細な説明は省略する。
【００６０】
波形成形部３０４は、上記変調データ生成部３０３で生成された４ＰＰＭデータを副搬送波のタイミングに合わせて波形成形する。この波形成形部３０４には、各照明機器３０１の駆動回路３１２がそれぞれ接続されている。
【００６１】
通信許可セレクタ３０５は、制御部３０２からのセレクト信号に応じて、複数の照明機器３０１の光源３１１のうち、可視光信号を送信すべき光源３１１の駆動回路３１２に送信指令信号を出力する。駆動回路３１２は、変調データ生成部３０３からの４ＰＰＭデータ（波形成形後のデータ）に基づいて光源３１１を高速点滅することによってパルス化した可視光信号を出力（データ送信）する。
【００６２】
その可視光信号の送信の例について具体的に説明する。まず、送信機３００の制御部３０２は、複数の照明機器３０１・・３０１の光源３１１のうち、Ａ０１照明機器３０１の光源３１１を選択するセレクト信号を通信許可セレクタ３０５に、所定のデータ送信時間Ｔの間だけ出力する。また、そのセレクト信号を出力している間、Ａ０１照明機器３０１のエリアＩＤ情報［０１］と現在の時刻情報（西暦、月日、曜日、時、分、秒）を変調データ生成部３０３に出力する。このような処理により、上記データ送信時間Ｔの間だけ、Ａ０１照明機器３０１の駆動回路３１２に４ＰＰＭデータ（エリアＩＤ情報データ［０１］及び現在の時刻情報データ）が送られるとともに、当該駆動回路３１２が駆動状態になる。これによって、図６に示す［領域Ａ０１］に、Ａ０１照明機器３０１の光源３１１から可視光信号が出力（データ送信）される。
【００６３】
次に、送信機３００の制御部３０２は、Ａ０２照明機器３０１の光源３１１を選択するセレクト信号を通信許可セレクタ３０５に、上記データ送信時間Ｔの間だけ出力する。また、そのセレクト信号を出力している間、Ａ０２照明機器３０１のエリアＩＤ情報［０２］と現在の時刻情報を変調データ生成部３０３に出力する。このような処理により、上記データ送信時間Ｔの間だけ、Ａ０２照明機器３０１の駆動回路３１２に４ＰＰＭデータ（エリアＩＤ情報データ［０２］及び現在の時刻情報データ）が送られるとともに、当該駆動回路３１２が駆動状態になる。これによって、図６に示す［領域Ａ０２］に、Ａ０２照明機器３０１の光源３１１から可視光信号が出力（データ送信）される。
【００６４】
以後、同様な処理により、Ａ０３照明機器３０１、Ａ０４照明機器３０１、Ａ０５照明機器３０１、・・、Ａ１１照明機器３０１、Ａ１２照明機器３０１の各光源３１１から可視光信号が順番に出力（データ送信）されていく。また、このような順番（タイミング）での可視光信号の送信が順次繰り返して実行されていく。
【００６５】
−受信機−
次に、図７を参照して受信機１００について説明する。
【００６６】
この例の受信機（電子機器）１００は、データ取得部（受信部）１３０、操作部１０２、データ蓄積部１０３、直流点灯信号生成部１０４、変調部１０５、セレクタ１０６、駆動回路１０７、インジケータ用光源１１１、液晶ディスプレイ１０９のバックライトとしての照明用光源１１２、制御部１１０、及び、電源部１２０などを備えている。インジケータ用光源１１１及び照明用光源１１２はともに、ＬＥＤ（発光ダイオード）である。
【００６７】
この例の受信機１００は、上記した［実施形態１］のデータ蓄積機１の構成（図１の構成）に対して、データ取得部（受信部）１３０の構成、及び、制御部１１０の制御動作の一部が相違しているだけである。それ以外の構成、つまり、図１に示す操作部１０２、データ蓄積部１０３、直流点灯信号生成部１０４、変調部１０５、セレクタ１０６、駆動回路１０７、インジケータ用光源１１１、照明用光源１１２、及び、電源部１２０の各機能部の構成は、上記したデータ蓄積機１と基本的に同じであるので、その詳細な説明は省略する。
【００６８】
この例の受信機１００のデータ取得部（受信部）１３０は、図８に示すように、受光部１３１、受信処理部１３２、波形成形部１３３、復調部１３４などを備えている。
【００６９】
受光部１３１は、受光素子（例えばフォトダイオード）１３１ａを有し、受光した可視光信号（上記した送信機３００からの４ＰＰＭデータ）を電気信号に変換して受信処理部１３２に出力する。受信処理部１３２は、受光部１３１で受信した可視光信号（受信データ）にフィルタ処理を施して外乱雑音を除去する処理、及び、受信データのゲインを調整する（増幅する）処理などを行う。
【００７０】
波形成形部１３３は、受光部１３１で受信され、受信処理部１３２で処理された受信データの波形歪みの補正などを行って、受信データを復調しやすいデータに加工して復調部１３４に出力する。復調部１３４は、波形成形後の受信データ（４ＰＰＭデータ）を復調する。その復調されたデータは上記制御部１１０に入力される。
【００７１】
制御部１１０は、復調部１３４で復調された復調データをデータ蓄積部１０３（図７参照）に蓄積する。このデータ蓄積は、受信機１００が作動状態（スイッチＯＮからスイッチＯＦＦまでの間）であって、後述するように、当該受信機１００をユーザが携帯（後述する籠とともに携帯）して、店舗フロア内を移動・停止中においてに刻々と行われる。このようにしてデータ蓄積部１０３に蓄積されたデータは、受信機１００の動線情報、つまり、店舗フロア内において移動したユーザの移動経路を示す動線情報の取得データ（以下、動線情報データともいう）となる。
【００７２】
そして、受信機１００の制御部１１０は、上記操作部１０２が操作されて、上記「通常点灯モード」から「データ送信モード」に切り替えられた場合には、データ蓄積部１０３に蓄積の取得データ（動線情報データ）を読み出して変調部１０５に供給するとともに、変調部１０５を駆動回路１０７に接続するセレクト信号をセレクタ１０６に出力する。これよって、データ蓄積部１０３から読み出され、変調部１０５で変調されたデータ（ＯＯＫ変調データ）が駆動回路１０７に供給される。駆動回路１０７は、変調部１０５からのＯＯＫ変調データに基づいてインジケータ用光源（ＬＥＤ）１１１及び照明用光源（ＬＥＤ）１１２を変調点灯（高速点滅）することによってパルス化した可視光信号を出力（データ送信）する。この可視光信号は、データ集積装置２００の受光部２０１（図９参照）にて受信することができる。
【００７３】
−データ収集装置−
次に、図９を参照してデータ収集装置について説明する。
【００７４】
この例のデータ収集装置２００は、例えばパーソナルコンピュータであって、受光部２０１、受信処理部２０２、波形成形部２０３、復調部２０４、データ蓄積部２０５、表示部２０６、情報処理部（パソコン本体）２１０、及び、電源部２２０などを備えている。
【００７５】
この例のデータ収集装置２００は、上記した図３のデータ収集装置２に対して、情報処理部２１０が扱うデータが異なるだけであり、それ以外の構成、つまり、受光部２０１、受信処理部２０２、波形成形部２０３、復調部２０４、データ蓄積部２０５、及び、電源部２２０の各機能部の構成は、上記したデータ収集装置２と基本的に同じであるので、その詳細な説明は省略する。
【００７６】
なお、この例の情報処理部２１０は、後述するように、受信機１００から可視光通信にて転送された動線情報データをデータ蓄積部２０５に蓄積するとともに、その動線情報データを、液晶ディスプレイ等の表示部２０６の画面上に表示する。
【００７７】
−可視光信号の受信−
次に、上記送信機３００が送信した可視光信号を受信機１００で受信する場合の例について説明する。
【００７８】
まず、この例においては、送信機３００の店舗フロア用の各照明機器３０１からの照明光が照射される照射領域Ａ０１〜Ａ１２に、それぞれ、商品陳列用の棚が配置されているものとする。
【００７９】
また、この例の動線情報取得システムを適用した店舗においては、店舗フロア内での買い物に用いる籠に上記受信機１００が取り付けられている。ユーザは、その受信機１００（作動状態）が取り付けられた籠を携帯し、または、籠を載せたショッピングカートを移動させながら、図６に示す入口から店舗フロア内に入り、商品を陳列した各棚を移動して買い物や商品の品定めなどを行う。そして、その後に出口から店舗フロアの外部に出る。
【００８０】
このようなユーザの移動過程において、受信機１００は、店舗フロア用のＡ０１照明機器３０１〜Ａ１２照明機器３０１が送信する可視光信号を受信する。これにより受信機１００のデータ蓄積部２０５には、当該受信機１００の動線情報のデータ、つまり、店舗フロア内において移動したユーザの移動経路を示す動線情報データが順次蓄積されていく。この動線情報データの蓄積は、例えばユーザが店舗フロアの出口に到着したときに終了する。そして、このようにして動線情報データが蓄積された後に、受信機１００の操作部１０２を店員やオペレータ等が操作（上記した［実施形態１］と同様な操作）して、受信機１００に蓄積した動線情報データをデータ収集装置２００に可視光通信にて送信する。データ収集装置２００では、受信機１００からの動線情報データ（エリアＩＤ情報データ及び時刻情報データ）を分析し、その分析した後の動線情報データ（例えば、滞在領域・滞在時間）をデータ蓄積部２０５に蓄積する。
【００８１】
ここで、データ蓄積部２０５に蓄積される動線情報データは、例えば、［入口］→［領域Ａ０１：滞在時間２４秒］→［領域Ａ０２：滞在時間３８秒］→［領域Ａ０３：滞在時間９５秒］→［領域Ａ０７：滞在時間７秒］→［領域Ａ０８：滞在時間３秒］→［領域Ａ０：滞在時間２７秒］→［領域Ａ１２：滞在時間２７秒］→［領域Ａ１１：滞在時間１３秒］→［領域Ａ１０：滞在時間１１０秒］→［出口］、というようなデータである。
【００８２】
そして、この例では、データ収集装置２００の情報処理部（パソコン本体）２１０が、上記したような動線情報データ（滞在領域・滞在時間）を、表示部２０６の画面上に、数値表示やグラフ表示もしくはグラフィック表示する。これによって、管理者等は、店舗フロア内でのユーザの移動経路を把握することができる。
【００８３】
なお、上記グラフィック表示としては、例えば、店舗フロアのレイアウト図（画面上）に動線を描いたり、各棚の前にユーザが停止した停止時間を段階的に色分けして表示する等の表示形態を挙げることができる。
【００８４】
以上のように、この例においても、受信機１００に蓄積したデータを可視光通信にてデータ収集装置２００に転送できるので、ケーブル接続などの煩わしい作業や、ＵＳＢメモリやＳＤカード等の記録媒体へのデータの読み込み・読み出し作業などを行うことなく、受信機１００に蓄積したデータ（動線情報データ）をデータ収集装置２００に簡単に転送することができる。さらに、インジケータ用光源１１１や照明用光源１１２を可視光通信用の光源に併用しているので、受信機１００の大型化及びコストアップを抑えながらも、可視光通信によるデータ転送を実現することができる。また、データ送信側機器とデータ受信側装置との意識的な光軸合わせを行う必要がないので、データ転送時の操作性もよくなる。
【００８５】
−他の実施形態−
以上の各例では、データ蓄積機１（受信機１００）に蓄積したデータを可視光信号にて送信する場合に、セレクタ１０６を切り替えて変調部１０５のみを駆動回路１０７に接続するようにしているが、本発明はこれに限定されない。例えば、光源１１１，１１２を変調光（変調データ）と同期して発光するように構成（各光源１１１，１１２の出力光に変調光を重畳して出力するように構成）することで、データ蓄積機１を使用しながら（データを取得しながら）、蓄積データの転送を行うことが可能になる。
【００８６】
また、データ蓄積機１（受信機１００）とデータ収集装置２（２００）との間の通信方式として、ＯＯＫ変調方式を採用しているが、例えば４ＰＰＭ方式など、他の公知の可視光通信方式を採用してもよい。
【００８７】
以上の例では、インジケータ用光源（モニタ用光源）及び照明用光源をＬＥＤとしているが、本発明はこれに限られることなく、例えば、有機ＥＬ、無機ＥＬなど、可視光を放射できるものであれば、他の各種の光源を照明機の光源に用いてもよい。
【００８８】
以上の例では、インジケータ用光源（モニタ用光源）及び照明用光源の両方を可視光通信の光源として併用しているが、そのいずれか一方を可視光通信の光源として利用してもよい。
【００８９】
以上の例では、インジケータ用光源（モニタ用光源）及び照明用光源の両方を備えた電子機器（データ蓄積機、受信機）に本発明を適用した例について説明したが、本発明はこれに限られることなく、モニタ用光源または照明用光源のいずれか一方の光源を備えた電子機器にも適用することができる。
【００９０】
以上の例では、電子機器から外部装置（データ収集装置）にダウンリンクする場合の例について説明したが、本発明はこれに限られることなく、電子機器にアップリンクすることも可能である。また、電子機器と外部装置との間において双方向の可視光通信を行うようにしてもよい。
【００９１】
ここで、本発明は、データを蓄積するデータ蓄積部と、モニタ用光源及び／または照明用光源とを備えたものであれば、各種の電子機器に適用することができる。その一例として、上記したデータ蓄積機や受信機、測定器、携帯電話機、ＰＤＡ、デジタルカメラなどを挙げることができる。
【産業上の利用可能性】
【００９２】
本発明は、測定器、受信機、携帯電話機、ＰＤＡ、デジタルカメラなどの、データ蓄積機能を備えた電子機器に利用可能であり、さらに詳しくは、それらの電子機器に蓄積したデータを伝送・収集するシステムに有効に利用することができる。
【符号の説明】
【００９３】
１  データ蓄積機（電子機器）
１０１  データ取得部
１０２  操作部
１０３  データ蓄積部
１０５  変調部
１０７  駆動回路
１０８  インジケータ
１０９  液晶ディスプレイ
１１０  制御部
１１１  インジケータ用光源（モニタ用光源）
１１２  照明用光源
２  データ収集装置（外部装置）
２０１  受光部
２０１ａ  受光素子
２０４  復調部
２０５  データ蓄積部
２０６  表示部
２１０  情報処理部
【図１】
2012195763.tif 000003
【図２】
2012195763.tif 000004
【図３】
2012195763.tif 000005
【図４】
2012195763.tif 000006
【図５】
2012195763.tif 000007
【図６】
2012195763.tif 000008
【図７】
2012195763.tif 000009
【図８】
2012195763.tif 000010
【図９】
2012195763.tif 000011